(57)【要約】【課題】少ない部品の追加でスペースをほとんどとらずにトラッキング防止機能を付加することができる漏電ブレーカ付き電源コンセントを提供する。【解決手段】漏電ブレーカ付き電源コンセント１は、プラグの栓刃を挟持して電路３にプラグを接続する受刃４と、電路３に流れる漏洩電流を検出する零相変流器５と、零相変流器５の出力信号により漏電を検出する漏電検出回路６と、漏電検出回路６の出力信号により電路３を遮断する遮断手段７と、栓刃間に発生する火花放電を検知するセンサ８を備え、センサ８は金属片等の導電部材により形成し、受刃４，４間に配設する。センサ８に接続された出力線９は零相変流器５を貫通し、電路３の一方に接続する。センサ８に火花放電が接触すると電流が発生し、出力線９に電流が流れ、この出力線９に流れる電流を零相変流器５により検出すると、漏電検出回路６が信号を出力して遮断手段７を動作させ、電路３を遮断する。【選択図】図１
2006048958.tif 000002
【特許請求の範囲】
【請求項１】
プラグの栓刃を挟持して電路に前記プラグを接続する受刃と、前記電路に流れる漏洩電流を検出する零相変流器と、該零相変流器の出力信号により漏電を検出する漏電検出回路と、該漏電検出回路の出力信号により電路を遮断する遮断手段とを備えた漏電ブレーカ付き電源コンセントにおいて、前記栓刃間に発生する火花放電を検知するセンサを備え、該センサの出力線を前記零相変流器に貫通させて前記電路の何れか一方に接続し、前記センサの出力電流を前記零相変流器により検出するようにしたことを特徴とする漏電ブレーカ付き電源コンセント。
【請求項２】
前記センサの出力により表示動作する表示手段を備えたことを特徴とする請求項１に記載の漏電遮断機能付き電源コンセント。
【発明の詳細な説明】
【技術分野】
【０００１】
本発明は、電路の漏電を検出して遮断する機能に加えて、トラッキングに至る前に発生する火花放電を検知してトラッキングの発生を防止する機能を備えた電源コンセントに関する。
【背景技術】
【０００２】
従来、電源コンセントには非特許文献１に示すように漏電ブレーカを内蔵したものがある。
【０００３】
【非特許文献１】“コンセントバー  平刃形  接地形２Ｐ  １５Ａ  １２５Ｖ  ＨＫＣ０２３０ＥＬＢ”［online］、アメリカン電機株式会社、［平成１６年６月２８日検索］、インターネット＜ＵＲＬ：http://www.americandenki.co.jp/C/C9/C9.html＞
【発明の開示】
【発明が解決しようとする課題】
【０００４】
漏電ブレーカを内蔵した電源コンセントは、電路に流れる漏洩電流を検出するための零相変流器や、零相変流器の出力信号により漏電を検出する漏電検出回路を実装するプリント基板や、漏電検出回路の出力信号により電路を遮断する遮断手段等の多くの部品が必要であり、このため、更にトラッキングを防止する回路を付加するにはスペースの確保が難しいという問題があった。
【課題を解決するための手段】
【０００５】
本発明は、請求項１に記載の発明によれば、プラグの栓刃を挟持して電路にプラグを接続する受刃と、電路に流れる漏洩電流を検出する零相変流器と、零相変流器の出力信号により漏電を検出する漏電検出回路と、漏電検出回路の出力信号により電路を遮断する遮断手段とを備えた漏電ブレーカ付き電源コンセントにおいて、栓刃間に発生する火花放電を検知するセンサを備え、センサの出力線を零相変流器に貫通させて電路の何れか一方に接続し、センサの出力電流を零相変流器により検出するようにしたことを特徴とする。
【０００６】
請求項２に記載の発明によれば、請求項１に記載の漏電ブレーカ付き電源コンセントにおいて、センサの出力により表示動作する表示手段を備えたことを特徴とする。
【発明の効果】
【０００７】
請求項１に記載の発明によれば、プラグの栓刃を挟持して電路にプラグを接続する受刃と、電路に流れる漏洩電流を検出する零相変流器と、零相変流器の出力信号により漏電を検出する漏電検出回路と、漏電検出回路の出力信号により電路を遮断する遮断手段とを備えた漏電ブレーカ付き電源コンセントにおいて、栓刃間に発生する火花放電を検知するセンサを備え、センサの出力線を零相変流器に貫通させて電路の何れか一方に接続し、センサの出力電流を零相変流器により検出するようにしたことにより、少ない部品の追加でスペースをほとんどとらずにトラッキング防止機能を付加することができるという効果がある。
【０００８】
請求項２に記載の発明によれば、請求項１に記載の漏電ブレーカ付き電源コンセントにおいて、センサの出力により表示動作する表示手段を備えたことにより、漏電とトラッキングの判別が可能になるという効果がある。
【発明を実施するための最良の形態】
【０００９】
漏電ブレーカ付き電源コンセントは、プラグの栓刃を挟持して電路にプラグを接続する受刃と、電路に流れる漏洩電流を検出する零相変流器と、零相変流器の出力信号により漏電を検出する漏電検出回路と、漏電検出回路の出力信号により電路を遮断する遮断手段と、栓刃間に発生する火花放電を検知するセンサを備え、センサは金属片等の導電部材により形成し、受刃の間に配設する。センサに接続された出力線は零相変流器を貫通し、電路の何れか一方に接続する。センサに火花放電が接触すると電流が発生し、出力線に電流が流れ、この出力線に流れる電流を零相変流器により検出すると、漏電検出回路が信号を出力して遮断回路を動作させ、電路を遮断する。
【実施例１】
【００１０】
本発明に係る漏電ブレーカ付き電源コンセントの実施例１を図１の添付図面に基づいて説明する。
【００１１】
漏電ブレーカ付き電源コンセント１は、プラグの栓刃（図示せず）を挟持して交流電源２に接続された電路３にプラグを接続する受刃４と、電路３に流れる漏洩電流を検出する零相変流器５と、零相変流器５の出力信号により漏電を検出する漏電検出回路６と、漏電検出回路６の出力信号により電路３を遮断する遮断手段７と、栓刃間に発生する火花放電を検知するセンサ８を備えている。
【００１２】
センサ８は金属片等の導電部材により形成され、１対の受刃４，４間に配設されている。センサ８に接続された出力線９は零相変流器５を貫通し、抵抗器１０を介して電路３の何れか一方に接続されている。
【００１３】
センサ８にトラッキングに至る前に発生する火花放電が接触すると微小な電流が発生し、出力線９に電流が流れる。零相変流器５はこのセンサ８の出力電流を検出し、漏電検出回路６に信号を出力する。そして、漏電検出回路６が零相変流器５の信号を受けるとサイリスタ１１をオンし、サイリスタ１１のオンにより遮断手段７としてのトリップコイルを駆動させて電路３の開閉接点１２を開離させ、電路３を遮断する。
【００１４】
また、漏電ブレーカ付き電源コンセント１は、電路３に流れる漏洩電流を零相変流器５により検出すると漏電検出回路６に信号を出力し、以下トラッキングの遮断動作と同様に漏電検出回路６が零相変流器５の信号を受けるとサイリスタ１１をオンし、サイリスタ１１のオンによりトリップコイル７を駆動させて電路３の開閉接点１２を開離させ、電路３を遮断する。
【００１５】
このように、漏電防止機能を構成する零相変流器５と漏電検出回路６と遮断手段７を利用しているので、センサ８として金属片と、出力線９として電線を追加するだけで漏電ブレーカ付き電源コンセントにトラッキング防止機能を付加することができ、スペースもほとんどとらないのでケースを大型化することもないし、安価に製作することができる。
【実施例２】
【００１６】
本発明に係る漏電ブレーカ付き電源コンセントの実施例２を図２の添付図面に基づいて説明する。尚、実施例１と同一部分は同一符号を付して説明を省略する。
【００１７】
本実施例ではセンサ８の出力線９にフォトサイリスタ１３のダイオード１３ａが接続され、フォトサイリスタ１３のサイリスタ１３ｂにはＬＥＤ１４が接続されている。
【００１８】
これにより、センサ８から出力線９に電流が出力されると、フォトサイリスタ１３のダイオード１３ａが通電することによりサイリスタ１３ｂがオンし、開閉接点１２より電源側の電路３に接続された電源回路１５からサイリスタ１３ｂに通電されることによりＬＥＤ１４が点灯する。従って漏電ブレーカ付き電源コンセント１が遮断動作した際にＬＥＤ１４が点灯している場合はトラッキングによる遮断と判断でき、ＬＥＤ１４が点灯していない場合は漏電による遮断と判断できる。
【図面の簡単な説明】
【００１９】
【図１】本発明の実施例１に係る漏電ブレーカ付き電源コンセントの回路図である。
【図２】本発明の実施例２に係る漏電ブレーカ付き電源コンセントの回路図である。
【符号の説明】
【００２０】
１    漏電ブレーカ付き電源コンセント
５    零相変流器
６    漏電検出回路
７    遮断手段
８    センサ
９    出力線
１１    サイリスタ
１２    開閉接点
１３    フォトサイリスタ
１４    ＬＥＤ
【図１】
2006048958.tif 000003
【図２】
2006048958.tif 000004